(57)【要約】【課題】営業ツールとして効果的なカードを提供する。【解決手段】コンテンツＤＢ１２は、公募によって得られた、特定の主題に関するコンテンツであって、テキストと、画像とを含むコンテンツをその識別情報とともに記憶する。企業ＤＢ１４は、依頼企業の識別情報を、その名称および分類とともに記憶する。非営利団体ＤＢ１６は、非営利団体の識別情報と、事業内容と、連絡先と、分類とを関連づけて記憶する。依頼企業が希望する分類の入力を受けた際に、コンピュータシステム１０は、その分類に基づき、関連する非営利団体を複数抽出し、プリンタ２０において、コンテンツ記憶手段に記憶されている、テキストおよび画像の１つを１枚のカードの表面に印刷するとともに、抽出手段により抽出した非営利団体の情報と、入力された依頼企業の情報を裏面に印刷する。【選択図】図１
2010244427.tif 000002
【特許請求の範囲】
【請求項１】
公募によって得られた、特定の主題に関するコンテンツであって、テキストと、画像とを含むコンテンツをその識別情報とともに記憶するコンテンツ記憶手段と、
依頼企業の識別情報を、その名称および分類とともに記憶する企業情報記憶手段と、
非営利団体の識別情報と、事業内容と、連絡先と、分類とを関連づけて記憶する非営利団体情報記憶手段と、
依頼企業が希望する分類の入力を受けた際に、その分類に基づき、関連する非営利団体を複数抽出する抽出手段と、
コンテンツ記憶手段に記憶されている、テキストおよび画像の１つを１枚のカードの表面に印刷するとともに、抽出手段により抽出した非営利団体の情報と、入力された依頼企業の情報を裏面に印刷するカード印刷手段と、
を含むことを特徴とするカード印刷システム。
【請求項２】
請求項１に記載のカード印刷システムであって、
前記コンテンツを、インターネットを介し、公募することを特徴とするカード印刷システム。
【請求項３】
請求項１または２に記載のカード印刷システムであって、
前記カードに印刷する非営利団体の情報および依頼企業の情報には、それぞれのマークが含まれることを特徴とするカード印刷システム。
【請求項４】
依頼企業の識別情報を、その名称および分類とともに記憶するとともに、非営利団体の識別情報と、事業内容と、連絡先と、分類とを関連づけて記憶しておき、記憶されてる情報を利用してカードを作成して、提供するカード提供方法であって、
特定の主題に関するコンテンツであって、テキストと、画像とを含む、公募によって得られたコンテンツを、その識別情報とともに記憶し、
依頼企業からの依頼を受けた際にその依頼企業の希望する分類に応じて、その分類にマッチする非営利団体を複数抽出し、
記憶されているテキストおよび画像の１つを１枚のカードの表面に印刷するとともに、抽出手段により抽出した非営利団体の情報と、依頼企業の情報を裏面に印刷して、依頼企業に提供することを特徴とするカード提供方法。
【発明の詳細な説明】
【技術分野】
【０００１】
本発明は、コンテンツを非営利団体の情報とともにカードに印刷するシステムおよびそのカードの提供方法に関する。
【背景技術】
【０００２】
各種商品の販売や、保険や旅行などのサービスの提供において、自己の商品等を顧客に選択してもらう手法については、各種の提案がある。特に、顧客への営業においては、顧客と一対一の局面になる場合も多く、その状況において顧客によい心証を与えることが重要である。
【０００３】
このような場合においては、顧客との会話をスムーズに行うことが大切であり、そのためのツールも各種提案されている。例えば、主婦など料理に興味がありそうな人が相手の営業においては、料理のレシピを記載した紙を持参し、そのレシピを基にした話題などから、顧客との関係を良好化のツールとすることなども提案されている。
【先行技術文献】
【特許文献】
【０００４】
【特許文献１】特開２００２−２６９３２５号公報
【発明の概要】
【発明が解決しようとする課題】
【０００５】
このような営業ツールとしては、簡単に手渡すことができ、安価な紙媒体が適切であると考えられ、より効果的なツールが望まれる。
【課題を解決するための手段】
【０００６】
本発明は、公募によって得られた、特定の主題に関するコンテンツであって、テキストと、画像とを含むコンテンツをその識別情報とともに記憶するコンテンツ記憶手段と、依頼企業の識別情報を、その名称および分類とともに記憶する企業情報記憶手段と、非営利団体の識別情報と、事業内容と、連絡先と、分類とを関連づけて記憶する非営利団体情報記憶手段と、依頼企業が希望する分類の入力を受けた際に、その分類に基づき、関連する非営利団体を複数抽出する抽出手段と、コンテンツ記憶手段に記憶されている、テキストおよび画像の１つを１枚のカードの表面に印刷するとともに、抽出手段により抽出した非営利団体の情報と、入力された依頼企業の情報を裏面に印刷するカード印刷手段と、を含むことを特徴とする。
【０００７】
また、前記コンテンツを、インターネットを介し、公募することが好適である。
【０００８】
また、前記カードに印刷する非営利団体の情報および依頼企業の情報には、それぞれのマークが含まれることが好適である。
【０００９】
また、本発明は、依頼企業の識別情報を、その名称および分類とともに記憶するとともに、非営利団体の識別情報と、事業内容と、連絡先と、分類とを関連づけて記憶しておき、記憶されてる情報を利用してカードを作成して、提供するカード提供方法であって、特定の主題に関するコンテンツであって、テキストと、画像とを含むコンテンツを公募によって得られた公募し、公募によって得られたコンテンツを、その識別情報とともに記憶し、依頼企業からの依頼を受けた際にその依頼企業の希望する分類に応じて、その分類にマッチする非営利団体を複数抽出し、記憶されているテキストおよび画像の１つを１枚のカードの表面に印刷するとともに、抽出手段により抽出した非営利団体の情報と、依頼企業の情報を裏面に印刷して、依頼企業に提供することを特徴とする。
【発明の効果】
【００１０】
このように、本発明によれば、コンテンツとしてテキストと画像の両方を含むとともに、非営利団体の表示を含むカードを提供することができる。従って、このカードを営業ツールとして効果的に利用することが可能となる。
【図面の簡単な説明】
【００１１】
【図１】システムの全体構成を示す図である。
【図２】カードの表面側を示す図である。
【図３】カードの裏面側を示す図である。
【発明を実施するための形態】
【００１２】
以下、本発明の実施形態について、図面に基づいて説明する。
【００１３】
図１は、実施形態に係るカード印刷システムの全体構成を示す図である。コンピュータシステム１０は、通常の汎用コンピュータで構成され、インターネット上におけるウェブページも有している。このコンピュータシステムは、例えば印刷を業とする印刷会社のコンピュータシステムであってもよいし、この印刷会社と関連して別に設けられた団体のシステムであってもよく、複数の団体のコンピュータを合わせて形成されていてもよい。また、ウェブページは、自己のコンピュータシステム１０内に設けられてもよいが、外部の別のサーバに設けることもできる。
【００１４】
例えば、「とっておきのワンシーン（商標）」と名付けられたウェブページが用意され、個々に不特定多数の人間がアクセス可能になっている。このページにおいては、これまでのいろいろな体験の中で、かけがえのない喜びのひと時と感じることや心の支えとなっている思い出の名場面など、あなたにとっての「とっておきのワンシーン」を表現した作品を募集（公募）する。
【００１５】
募集内容としては、例えば、絵（大きさ、Ｂ５〜Ａ３判まで。要着色。画材は自由。）＋文章（８００字以内）で一作品とし、応募用紙に、作品のタイトル、住所（〒）、氏名（ふりがな）、年齢、性別、職業、電話番号を明記の上、送信させる。なお、送信するデータ形式は、ある程度限定することが好適である。また、応募自体は、応募用紙に上記の内容の書面を添付した郵送又は宅配便にて送ることでもよい。さらに、募集自体も、ポスターや、パンフレットなどその他の媒体を利用することも好適である。また、応募点数の制限は、加えないことが好ましい。
【００１６】
そして、一定の募集期間を限定して、その中で、審査の結果、優秀賞３点＝５０，０００円、入選１５点＝１０，０００円などの評価を与えることが好適である。また、受賞されたすべての作品の著作権は、募集団体に帰属させることを募集の際に明記するとよい。
【００１７】
このようにして、コンピュータシステム１０には、いろいろな人々における、「とっておきのワンシーン」についての絵（画像データ）、文章（テキスト）の組み合わせからなる、コンテンツが供給され、コンテンツＤＢ１２に記憶される。コンテンツＤＢには、各コンテンツについては、応募内容に基づく作者などの書誌的データも合わせて記憶される。さらに、本実施形態においては、コンテンツについての簡単な分類もそれぞれ付与される。この分類は、例えばキーワードであり、「家族」、「友人」、「職場仲間」、「ペット」、「旅行」、「学校」、「職場」、「生死」、「けが」、「病気」、「交通事故」、「美術」、などが付与される。これらキーワードはシソーラス化されていてもよいし、フリーキーワードでもよい。また、予め分類を決定しておき、その分類番号を利用することもできる。さらに、コンテンツ識別用のＩＤ（例えば、受け付け番号）が記憶される。
【００１８】
また、コンピュータシステム１０は、企業ＤＢ１４、非営利団体ＤＢ１６、レイアウト記憶部１８を有している。企業ＤＢ１４は、企業についての情報を記憶するが、この企業は、コンピュータシステム１０の所有者にとっては、顧客となる企業であって、制作したカードを購入する会社である。この会社は、いかなる会社であってもよく、例えば生命保険会社、旅行会社、自動車会社、化粧品会社などであり、とくに顧客を訪問するセールススタッフを擁する会社が適している。
【００１９】
企業ＤＢにおいては、その企業（依頼企業）の企業名、住所、マーク、ロゴ、などとともに、その識別情報として、登録ＩＤなどを記憶する。さらに、この企業の一般的な企業情報（社員数、営業所数）などを記憶することも好適である。なお、コンテンツに利用したキーワードでその企業に関連すると思われるものを複数登録しておくとよい。また、企業は、所有するコンピュータ端末を利用して、コンピュータシステム１０のウェブページにアクセスし、企業ＤＢ１４の必要事項を入力して、企業の登録を行うとよい。もちろん、会社から申込書の送付を受け、コンピュータシステム１０に登録してもよい。
【００２０】
非営利団体ＤＢ１６は、ＮＰＯ（特定非営利活動法人）、社会福祉法人、社団法人、民間非営利団体などの情報を記憶するデータベースである。基本的に命をつなぐことに関連する非営利団体であって、地球規模のものから苦しんでいる一人のための援助まで幅広い範囲の団体が選択される。そして、各団体について、その団体の種別、マーク、活動内容の簡単な説明、名称、連絡先（電話番号、インターネットＵＲＬ）などその団体にアクセスするために必要な情報を記憶するとともに、各団体についてのキーワードなどの分類を記憶している。ここで、キーワードについては、コンテンツに利用したキーワードで各非営利団体に関連すると思われるものをそれぞれ複数登録しておく。なお、非営利団体ＤＢ１６に記憶する団体については、その内容を印刷して配布することについて承諾を必要に応じて得ておく。
【００２１】
さらに、レイアウト記憶部１８には、本実施形態において印刷の対象となるとっておきカードのレイアウトが登録されている。このレイアウトの例が、図２，３に示されている。
【００２２】
図２は、とっておきカードの表面側のレイアウトであり、ほとんどが文章についてのコンテンツ（テキスト）である。コンテンツ（テキスト）は、この例では縦書きになっており、右端に題名が記載され、左端には、作者についての記載されている。なお、作者の名前は、匿名でも、ニックネームでもよい。また、カードの下端側左端には、とっておきカードのマーク、下端側中央部にはコンテンツの手段である「とっておきのワンシーン」の説明および表示があり、下端側右端にはコンテンツの識別番号が記載されている。
【００２３】
図３には、裏面のレイアウトが示されている。上段には、とっておきカードの説明が記載されている。そして、中央部には、非営利団体についてのキャッチフレーズのような簡単な説明と、電話番号、インターネットＵＲＬ、およびマークが記載されている。この例では、縦３つ、横２つの６区分され、６つの非営利団体についての情報が掲載されている。
【００２４】
また、裏面の下段には、依頼企業のロゴマークおよび名称が記載され、さらにその下には、印刷会社などカード制作元の表示が入れられている。
【００２５】
企業から依頼があった場合には、コンピュータシステム１０の操作者が条件を入力する。条件には、キーワード、コンテンツの数、各コンテンツ毎の枚数、レイアウトがある。なお、この条件の入力も、コンピュータシステム１０のホームページから企業の担当者がコンピュータ端末を利用して入力してもよい。
【００２６】
コンピュータシステム１０は、入力された依頼企業のＩＤなどにより、依頼企業を特定する。また、キーワードに基づき、非営利団体をピックアップし、これをディスプレイに表示する。複数のキーワードが入力された場合には、合致したキーワードが多い非営利団体ほど上位にしたリストを表示する。このリストは、例えば１０，２０などの数のリストにするとよい。また、ピックアップできた数が少ない場合には、ランダムにピックアップしたものを追加してもよい。そして、レイアウトで指定された表示数の場所に当落ラインのようにわかりやすいラインを表示する。例えば、赤色のラインなどが好適である。
【００２７】
また、合致したキーワード数が同一のものについては、同一色表示として、見分けやすくすることも好適である。
【００２８】
表示されている中で、選択する非営利団体を変更する場合には、該当する表示をドラッグするなどして、順序を入れ替えられるようにすることが好適である。
【００２９】
コンテンツについても、キーワードによって選択するが、コンテンツは基本的に１つの主題に基づくものであり、自動的に必要数だけ選択してもよい。
【００３０】
このようにして、必要な情報が決定された場合には、作成されたカードが画面に表示される。そして、操作者がＯＫした場合に、プリンタ２０からカードが決定された枚数だけ印刷される。印刷されたカードは、依頼企業に配送される。
【００３１】
依頼企業は、このようにして納品されたカード（とっておきカード）をセールススタッフに持たせる。このカードは、多数毎同一でよく、また紙質もこだわらないため、名刺より安価に製造することが容易であり、セールスツールとして利用しやすい。また、コンテンツが各種選べるため、営業時における話題作りのツールとして非常に有効である。特に、コンテンツは公募によるものであり、作者が偏らないため、１つ１つが基本的に異なっており、マンネリに陥ることがほとんどない。特に、コンテンツは、基本的に、心温まるとっておきの話しであり、セールススタッフが顧客とよい関係を築く手助けになりやすい。特に、顧客を訪問する場合などには、その場の話題作りとして最適である。また、公募によって、定期的にコンテンツを補充することができ、何度も訪問する顧客に対しても、随時新しいコンテンツを提供することが可能である。
【００３２】
さらに、このカードは、単なる営業だけでなく、非営利団体の紹介にもなっており、顧客は社会貢献を目指す団体の活動についての情報を得ることができる。非営利団体についての一般社会での認識の向上を図ることもできる。
【００３３】
また、カードは、コンテンツと、非営利団体の紹介がメインの情報であり、作者も単に営利企業のためではなく、社会貢献ができたものとの満足感も得られる。
【００３４】
例えば、生命保険会社では、多数のセールススタッフが、訪問して生命保険の勧誘を行っており、このようなセールススタッフにとって、本カードはセールスツールとして非常に有効である。
【符号の説明】
【００３５】
１０  コンピュータシステム、１２  コンテンツＤＢ、１４  企業ＤＢ、１６  非営利団体ＤＢ、１８  レイアウト記憶部、２０  プリンタ。
【図１】
2010244427.tif 000003
【図２】
2010244427.tif 000004
【図３】
2010244427.tif 000005